(57)【要約】【課題】  無線区間において伝送する情報量を低減する。【解決手段】  受信部５２は、端末装置から所定の識別番号を受信する。記憶部４０は、識別番号と音声データとの組み合わせを複数記憶する。選択部３８は、記憶部４０に記憶された複数の組み合わせから、無線部３２において受信した識別番号に対応した音声データを選択する。有線部４４は、選択部３８において選択された音声データをネットワーク経由によって、端末装置の通信対象となる通信装置にそれぞれ送信する。【選択図】  図３
2006115025.tif 000002
【特許請求の範囲】
【請求項１】
音声データの内容に対応させながら識別番号が予め規定されている場合において、
端末装置から所定の識別番号を受信する無線部と、
識別番号と音声データとの組み合わせを複数記憶する記憶部と、
前記記憶部に記憶された複数の組み合わせから、前記無線部において受信した識別番号に対応した音声データを選択する選択部と、
前記選択部において選択された音声データをネットワーク経由によって、前記端末装置の通信対象となる通信装置に送信する有線部と、
を備えることを特徴とする基地局装置。
【請求項２】
前記選択部は、選択した音声データに、予め定められた音声データを合成することを特徴とする請求項１に記載の基地局装置。
【請求項３】
前記無線部において受信した識別番号には、複数の通信装置に送信すべき音声データにそれぞれ対応した複数の識別番号が、多重化されており、
本装置は、多重化された複数の識別番号を分離する分離部をさらに備え、
前記選択部は、前記分離部において分離した複数の識別番号に対応した複数の音声データをそれぞれ選択し、
前記有線部は、前記選択部において選択された複数の音声データのそれぞれと、通信装置とを対応させながら、前記選択された複数の音声データを前記複数の通信装置にそれぞれ送信することを特徴とする請求項１または２に記載の基地局装置。
【請求項４】
前記無線部での多重化された複数の識別番号には、識別番号に対応した音声データを送信すべき通信装置の電話番号が、それぞれ対応づけられており、
前記有線部は、電話番号を参照しながら、前記選択された複数の音声データを前記複数の通信装置にそれぞれ送信することを特徴とする請求項３に記載の基地局装置。
【請求項５】
音声データの内容に対応させながら識別番号が予め複数規定されている場合において、
規定された複数の識別番号から選択すべき識別番号に関する指示を受けつける受付部と、
予め記憶した識別番号と音声データとの複数の組み合わせから、識別番号に対応した音声データを選択し、選択した音声データをネットワーク経由によって、通信対象となる通信装置に送信する基地局装置に対して、前記受付部において受けつけた識別番号を送信する送信部と、
を備えることを特徴とする端末装置。
【請求項６】
音声データの内容に対応させながら識別番号が予め規定されている場合において、
所定の識別番号を送信する端末装置と、
前記端末装置から識別番号を受信し、識別番号に対応した音声データをネットワーク経由によって、前記端末装置の通信対象となる通信装置に送信する基地局装置とを備え、
前記基地局装置は、
識別番号と音声データとの組み合わせを複数記憶する記憶部と、
前記記憶部に記憶された複数の組み合わせから、受信した識別番号に対応した音声データを選択する選択部と、
を備えることを特徴とする通信システム。
【請求項７】
音声データの内容に対応させながら予め規定した識別番号と、音声データとの組み合わせを複数記憶したデータベースを参照しながら、端末装置から受信した識別番号に対応した音声データを選択し、選択した音声データをネットワーク経由によって、前記端末装置の通信対象となる通信装置に送信することを特徴とする通信方法。
【発明の詳細な説明】
【技術分野】
【０００１】
本発明は、通信技術に関し、特に予め定められた音声メッセージを送信する通信方法ならびにそれを利用した基地局装置および端末装置および通信システムに関する。
【背景技術】
【０００２】
無線通信システムでは、限られた周波数資源を有効に利用するために、音声伝送において音声符号化方式が一般的に使用されている。このような音声符号化方式は、ＡＤＰＣＭ、ＲＰＥ−ＬＴＰ（Ｒｅｇｕｌａｒ  Ｐｕｌｓｅ  ＬｏｎｇＴｅｒｍ  Ｐｒｅｄｉｃｔｉｏｎ）、ＶＳＥＬＰ（Ｖｅｃｔｏｒ  Ｓｕｍ  Ｅｘｃｉｔｅｄ  ＬＰＣ  Ｃｏｄｉｎｇ）を含む。さらに、情報量を低減するために、音声信号から特徴パラメータを抽出し、特徴パラメータを予め定めた規則にしたがってコード化する技術が提案されている（例えば、特許文献１参照。）。
【特許文献１】特開平５−１８８９８５号公報
【発明の開示】
【発明が解決しようとする課題】
【０００３】
無線通信システムのひとつに、加入者系固定無線アクセス（ＦＷＡ：Ｆｉｘｅｄ  Ｗｉｒｅｌｅｓｓ  Ａｃｃｅｓｓ）システムがある。ＦＷＡシステムは、ＷＬＬ（Ｗｉｒｅｌｅｓｓ  Ｌｏｃａｌ  Ｌｏｏｐ）システムとも呼ばれており、無線を利用して高速にデータを伝送するために、比較的距離が短く見通しの良い区間においてアンテナを対向させ、対向したアンテナ間において通信を行う。特に、ＦＷＡシステムにおける端末装置は、移動しないことを前提としている。このようなＦＷＡシステムには、基本的に端末装置と基地局装置が、ある程度固定的に組み合わされる。そのため、帯域が占有されている場合は、継続的にその状態が続くと想定される。例えば、端末装置にコールセンタやＣＴＩ（Ｃｏｍｐｕｔｅｒ−Ｔｅｌｅｃｏｍｍｕｎｉｃａｔｉｏｎｓ  Ｉｎｔｅｇｒａｔｉｏｎ）が接続されている場合、当該端末装置に対するトラヒックが集中する場合がある。そのような場合には、情報量をさらに低減する方が望ましい。
【０００４】
本発明はこうした状況に鑑みてなされたものであり、その目的は、伝送すべき情報量を低減する通信方法ならびにそれを利用した基地局装置および端末装置および通信システムを提供することにある。
【課題を解決するための手段】
【０００５】
上記課題を解決するために、本発明のある態様の基地局装置は、音声データの内容に対応させながら識別番号が予め規定されている場合において、端末装置から所定の識別番号を受信する無線部と、識別番号と音声データとの組み合わせを複数記憶する記憶部と、記憶部に記憶された複数の組み合わせから、無線部において受信した識別番号に対応した音声データを選択する選択部と、選択部において選択された音声データをネットワーク経由によって、端末装置の通信対象となる通信装置に送信する有線部と、を備える。
【０００６】
この態様によると、端末装置と基地局装置との間の無線区間では、音声データが送信されずに、音声データに対応した識別番号が送信されるだけなので、無線区間において送信されるデータ量を低減できる。
【０００７】
選択部は、選択した音声データに、予め定められた音声データを合成してもよい。この場合、予め定められた音声データに該当しない定型以外の部分を記憶すればよいので、記憶部において記憶するデータの情報量を低減できる。
【０００８】
無線部において受信した識別番号には、複数の通信装置に送信すべき音声データにそれぞれ対応した複数の識別番号が、多重化されており、本装置は、多重化された複数の識別番号を分離する分離部をさらに備えてもよい。選択部は、分離部において分離した複数の識別番号に対応した複数の音声データをそれぞれ選択し、有線部は、選択部において選択された複数の音声データのそれぞれと、通信装置とを対応させながら、選択された複数の音声データを複数の通信装置にそれぞれ送信してもよい。この場合、識別番号の情報量が、識別番号を送信する際に使用されるバースト信号の情報量より小さい場合であっても、識別番号を多重化するので、複数の識別番号をひとつのバースト信号によって伝送できて、伝送効率を高められる。
【０００９】
本発明の別の態様は、端末装置である。この装置は、音声データの内容に対応させながら識別番号が予め複数規定されている場合において、規定された複数の識別番号から選択すべき識別番号に関する指示を受けつける受付部と、予め記憶した識別番号と音声データとの複数の組み合わせから、識別番号に対応した音声データを選択し、選択した音声データをネットワーク経由によって、通信対象となる通信装置に送信する基地局装置に対して、受付部において受けつけた識別番号を送信する送信部と、を備える。
【００１０】
この態様によると、端末装置と基地局装置との間の無線区間では、音声データが送信されずに、音声データに対応した識別番号が送信されるだけなので、無線区間において送信されるデータ量を低減できるような端末装置を提供できる。
【００１１】
本発明のさらに別の態様は、通信システムである。この通信システムは、音声データの内容に対応させながら識別番号が予め規定されている場合において、所定の識別番号を送信する端末装置と、端末装置から識別番号を受信し、識別番号に対応した音声データをネットワーク経由によって、端末装置の通信対象となる通信装置に送信する基地局装置とを備える。基地局装置は、識別番号と音声データとの組み合わせを複数記憶する記憶部と、記憶部に記憶された複数の組み合わせから、受信した識別番号に対応した音声データを選択する選択部と、を備える。
【００１２】
この態様によると、端末装置と基地局装置との間の無線区間では、音声データが送信されずに、音声データに対応した識別番号が送信されるだけなので、無線区間において送信されるデータ量を低減できるような通信システムを提供できる。
【００１３】
本発明のさらに別の態様は、通信方法である。この方法は、音声データの内容に対応させながら予め規定した識別番号と、音声データとの組み合わせを複数記憶したデータベースを参照しながら、端末装置から受信した識別番号に対応した音声データを選択し、選択した音声データをネットワーク経由によって、端末装置の通信対象となる通信装置に送信する。
【００１４】
本発明のさらに別の態様も、通信方法である。この方法は、音声データの内容に対応させながら識別番号が予め規定されている場合において、端末装置から所定の識別番号を受信するステップと、識別番号と音声データとの組み合わせを複数記憶しており、複数の組み合わせから、受信した識別番号に対応した音声データを選択するステップと、選択された音声データをネットワーク経由によって、端末装置の通信対象となる通信装置に送信するステップと、を備える。
【００１５】
選択するステップは、選択した音声データに、予め定められた音声データを合成してもよい。無線するステップにおいて受信した識別番号には、複数の通信装置に送信すべき音声データにそれぞれ対応した複数の識別番号が、多重化されており、多重化された複数の識別番号を分離するステップをさらに備え、選択するステップは、分離した複数の識別番号に対応した複数の音声データをそれぞれ選択し、送信するステップは、選択された複数の音声データのそれぞれと、通信装置とを対応させながら、選択された複数の音声データを複数の通信装置にそれぞれ送信してもよい。受信するステップでの多重化された複数の識別番号には、識別番号に対応した音声データを送信すべき通信装置の電話番号が、それぞれ対応づけられており、送信するステップは、電話番号を参照しながら、選択された複数の音声データを複数の通信装置にそれぞれ送信してもよい。
【００１６】
なお、以上の構成要素の任意の組合せ、本発明の表現を方法、装置、システムなどの間で変換したものもまた、本発明の態様として有効である。
【発明の効果】
【００１７】
本発明によれば、伝送すべき情報量を低減できる。
【発明を実施するための最良の形態】
【００１８】
（実施例１）
本発明を具体的に説明する前に、概要を述べる。本発明の実施例１は、端末装置と基地局装置によって構成されるＦＷＡシステムに関する。また、端末装置はＣＴＩを接続し、基地局装置はネットワークを介して複数の通信装置を接続する。ユーザは、通信装置を使用しながら、基地局装置と端末装置を介して、ＣＴＩにアクセスし、ＣＴＩに対して所定の処理を実行する。通信装置にはスピーカが備えられており、スピーカによってユーザは、ＣＴＩからのメッセージを聞くことができる。また、通信装置にはボタンが備えられており、ボタンによってユーザは、ＣＴＩからのメッセージに対する応答を入力する。
【００１９】
本実施例に係るＦＷＡシステムでは、無線区間において伝送される情報量を削減するため、端末装置から基地局装置への上り回線において、ＣＴＩからのメッセージを音声の形式によって伝送していない。ＦＷＡシステムでは、メッセージである音声データに対応させるように識別番号を規定しており、さらに音声データと識別番号との組み合わせを複数規定している。ＣＴＩは、通信装置に対して、送信すべき音声データに対応した識別番号を出力し、当該識別番号は、端末装置から基地局装置に伝送される。基地局装置では、予め複数の組み合わせを記憶しており、受信した識別番号に対応した音声データを抽出する。さらに、基地局装置は、抽出した音声データを通信装置に送信する。最終的に通信装置は、音声データを再生する。
【００２０】
このＦＷＡシステムでの通信において、通話用チャネルとデータ用チャネルが規定されている。通話用チャネルは、端末装置のそれぞれに対して、独占的に設定されるチャネルであり、データ用チャネルは、複数の端末装置によって共有されるチャネルである。すなわち、前者では帯域が確保され、後者では帯域が確保されない。本実施例では、ＣＴＩと通信装置との通信を円滑に実行するために、前述のＣＴＩからの識別番号の送信に対して、通話用チャネルを使用する。そのような状況の中において、本実施例では、伝送効率を高めるために、ひとつの通話用チャネルの中に複数の端末装置に対する複数の識別番号をそれぞれ配置させる。基地局装置では、複数の識別番号から複数の音声データをそれぞれ選択する。さらに、選択した音声データは、対応する通信装置に送信される。
【００２１】
図１は、実施例１に係る通信システム１００の構成を示す。通信システム１００は、ＤＢサーバ１０、ＣＴＩ１２、端末装置１４、基地局装置１６、ネットワーク１８、通信装置２０と総称される第１通信装置２０ａ、第２通信装置２０ｂ、第３通信装置２０ｃを含む。
【００２２】
通信装置２０は、ユーザによって操作されることによって、ＣＴＩ１２にアクセスする。ユーザは、ＣＴＩ１２にアクセスすることによって、所定の処理、例えばチケットの予約を実行する。通信装置２０は、少なくともボタンとスピーカを備えており、ユーザはボタンを使用して所定の指示を入力し、スピーカを使用して所定の要求を聞く。通信装置２０は、例えば電話機によって構成される。通信装置２０は、ネットワーク１８を介して、基地局装置１６に接続される。ネットワーク１８は、ＰＳＴＮネットワークによって構成される。なお、ネットワーク１８は、ＩＰネットワークでもよい。
【００２３】
基地局装置１６は、端末装置１４と無線通信を行い、端末装置１４と通信装置２０との間の音声通信サービスやデータ通信サービスを実行する。基地局装置１６は、音声データの内容に対応させながら識別番号を予め規定している。また、基地局装置１６は、上り回線の処理として、端末装置１４から識別番号を受信し、識別番号に対応した音声データを選択してから、ネットワーク１８経由によって、端末装置１４の通信対象となる通信装置２０に送信する。詳細は後述するが、以上の機能を実現するために、基地局装置１６は、識別番号と音声データとの組み合わせを複数記憶し、複数の組み合わせから、受信した識別番号に対応した音声データを選択する。基地局装置１６は、下り回線の処理として、通信装置２０から、ＣＴＩ１２への応答のデータを入力し、端末装置１４に対して送信する。ここで、応答のデータとは、ＣＴＩ１２からの音声データに対する応答を行うためのデータである。また、応答のデータ以外のデータが送信されてもよい。
【００２４】
端末装置１４は、有線側にＣＴＩ１２を接続し、無線側に基地局装置１６と接続される。ここでは、前述のごとく、通信システム１００としてＦＷＡシステムを対象にしており、端末装置１４としてＳＴＢ（Ｓｅｔ  Ｔｏｐ  Ｂｏｘ）のような形態を想定する。端末装置１４は、基地局装置１６に接続することによって、音声通信サービスやデータ通信サービスの提供を受ける。ＣＴＩ１２は、ＤＢサーバ１０とアクセスしながら、チケットの予約やコールセンタの機能を実現する。すなわち、例えば、チケットの予約に関して、通信装置２０との間の手順が予め定められており、当該手順にしたがったデータがＤＢサーバ１０に記憶されている。
【００２５】
ＣＴＩ１２は、当該手順に従って、所定のデータをＤＢサーバ１０から選択し、通信装置２０に送信する。また、ＣＴＩ１２は、通信装置２０から、出力したデータに対する応答を受けつけ、手順の次のステップに進行する。ここで、ＤＢサーバ１０に記憶されたデータは、音声データに対応した識別番号であるとし、識別番号は複数規定されているものとする。詳細は後述するが、以上の機能を実現するために、端末装置１４は、ＣＴＩ１２から、規定された複数の識別番号のうち、選択すべき識別番号に関する指示を受け、基地局装置１６に対して、受けつけた識別番号を送信する。
【００２６】
基地局装置１６は、端末装置１４に対して、音声通信サービスとデータ通信サービスのために、独立した無線チャネルを設定する。基地局装置１６は、音声通信サービスのために、ひとつの端末装置１４に対して、上下回線が同一の伝送レートを有した独占的な無線チャネルを設定する。ここでは、このような独占的な無線チャネルを通話用チャネルと呼ぶ。さらに、基地局装置１６は、複数の端末装置１４をＣＤＭＡによって多重化している。
【００２７】
一方、データ通信サービスは、一般的に下り回線の伝送レートが上り回線の伝送レートより高速な伝送レートを必要とするので、データ通信サービスに対して下り回線のみを説明する。上り回線は、説明を省略するが任意の方法にもとづいて、下り回線よりも低い伝送レートによって、データを伝送しているものとする。基地局装置１６は、下り回線のデータ通信サービス（以下、下り回線のデータ通信サービスも「データ通信サービス」というが、これと上り回線を含めた場合の「データ通信サービス」を区別せずに使用するものとする。）のために、ひとつの拡散符号を割り当て、拡散符号を割り当てたバースト信号のそれぞれが、図示しない複数の端末装置１４によって使用される。ここで、複数のバースト信号によって、ひとつのフレームが形成されているものとする。このようなフレームをデータ用チャネルという。
【００２８】
すなわち、データ通信サービスにおいては、音声通信サービスと異なって、ひとつの端末装置１４に対して独占的なデータ用チャネルを割り当てず、データの伝送を必要とする端末装置１４に対してバースト信号を適宜割り当てる。ひとつのフレーム、すなわち、ひとつのデータ用チャネルが、複数の端末装置１４によって共有される。そのため、ひとつの端末装置１４がデータの伝送を必要としなければ、基地局装置１６は他の端末装置１４にバースト信号を割り当てる。その結果、ひとつの端末装置１４が帯域を独占的に確保しないので、帯域を有効に利用でき、トータルのデータ伝送容量を向上できる。なお、ここでは、データ通信サービスのために３つの拡散符号を使用し、ＣＤＭＡによって多重化されている。
【００２９】
本実施例において、上り回線での端末装置１４から基地局装置１６への識別番号の送信と、下り回線での基地局装置１６から端末装置１４への応答データの送信には、通話用チャネルを使用する。通話用チャネルを使用するために、通信による遅延が減少し、ＣＴＩ１２と通信装置２０の間の処理は円滑に実行される。
【００３０】
図２は、通信システム１００でのチャネルの遷移を示す。ここでは、本実施例の説明に必要な無線チャネルのみを説明する。基地局装置１６は、下り回線において報知チャネルを報知する（Ｓ１０）。報知チャネルは、基地局装置１６に関する情報を含み、端末装置１４は報知チャネルを受信することによって、接続可能な基地局装置１６の存在を認識する。基地局装置１６に接続を要求する端末装置１４は、基地局装置１６に対して上り回線においてランダムアクセスチャネルを送信する（Ｓ１２）。端末装置１４からのランダムアクセスチャネルを受信した基地局装置１６は、接続を要求する端末装置１４の存在を確認する。しかしながら、ランダムアクセスチャネルは、基地局装置１６に対して接続を要求する複数の端末装置１４が送信する。そのため、複数の端末装置１４の送信タイミングが重なる場合もあり、そのような場合に基地局装置１６は正確に受信できない。かかる場合に、端末装置１４は、再びランダムアクセスチャネルを送信する。
【００３１】
基地局装置１６は、端末装置１４からランダムアクセスチャネルを受信し、当該端末装置１４の接続を決定した場合、すなわち、端末装置１４とのデータ通信あるいは音声通信を決定した場合、下り回線において獲得表示チャネルを送信する（Ｓ１４）。獲得表示チャネルを受信した端末装置１４は、基地局装置１６との間で音声通信あるいはデータ通信を行うための所定の制御信号を送受信するが、ここでは説明を省略する。端末装置１４が基地局装置１６との間でデータ通信を実行する場合、基地局装置１６と端末装置１４との間にデータ用チャネルが設定される（Ｓ１８）。下り回線のデータ用チャネルは、前述のバースト信号あるいはフレームに相当し、定期的に送信されるのではなく、送信すべきデータの発生など必要に応じて送信される。一方、端末装置１４が基地局装置１６との間で音声通信を実行する場合、基地局装置１６は端末装置１４に上下回線の通話用チャネルを割り当てる（Ｓ１６）。通話用チャネルは、端末装置１４と基地局装置１６の間で定期的に音声データを伝送する。
【００３２】
なお本実施例において、データ用チャネルは、データ通信だけでなく音声通信での所定の制御信号も含む。所定の制御信号の一例は、呼び出し要求である。通話用チャネルが設定されていない端末装置１４に、下り回線のデータ用チャネルによって呼び出し要求が通知されると、端末装置１４は、基地局装置１６にランダムアクセスチャネルを送信し、前述のごとく、基地局装置１６に対して、通話用チャネルの設定を要求する。このように、データ用チャネルと通話用チャネルも所定の関係を有する。
【００３３】
図３は、基地局装置１６の構成を示す。基地局装置１６は、アンテナ３０、無線部３２、合成部３４、分離部３６、選択部３８、記憶部４０、有線部４４、制御部４６を備える。また、無線部３２は、スイッチ４８、送信部５０、受信部５２を備える。
【００３４】
アンテナ３０は、端末装置１４に対して、無線周波数の信号を送受信する。スイッチ４８は、送信と受信のタイミングによって、信号の経路を切り替える。スイッチ４８は、受信のタイミングにおいて、アンテナ３０において受信した無線周波数の信号を受信部５２に出力する。一方、スイッチ４８は、送信のタイミングにおいて、送信部５０からの無線周波数の信号をアンテナ３０に出力する。
【００３５】
受信部５２は、端末装置１４から所定の識別番号を受信する。受信部５２は、無線周波数からベースバンドへの周波数変換処理、ＡＤ変換処理、復調処理を実行する。また、前述のごとく、通信システム１００は、ＣＤＭＡを使用しているので、受信部５２は、逆拡散処理も実行する。なお、受信部５２は、通話用チャネルに対応したバースト信号によって、端末装置１４から識別番号を受信する。ここで、ひとつのバースト信号には、複数の通信装置２０に対する複数の識別番号が含まれている。すなわち、無線部３２において受信したバースト信号には、複数の通信装置２０に送信すべき音声データにそれぞれ対応した複数の識別番号が、多重化されている。以上のように、識別番号の情報量は、ひとつのバースト信号によって伝送可能な情報量と比較して一般的に少ないので、複数の識別番号を多重化することによって、バースト信号に対応した通話用チャネルが独占的なチャネルであっても、チャネルの利用効率を向上できる。また、多重化された複数の識別番号には、識別番号に対応した音声データを送信すべき通信装置２０の電話番号が、それぞれ対応づけられている。通信装置２０の電話番号は、例えば、識別番号の前段に付加されている。
【００３６】
分離部３６は、バースト信号において多重化された複数の識別番号を分離する。図４（ａ）−（ｄ）は、通信システム１００におけるデータの構造を示す。図４（ａ）は、受信部５２から入力されたバースト信号におけるデータの構造を示す。すなわち、端末装置１４から基地局装置１６に送信されるバースト信号におけるデータ構造を示す。「第１通信装置用電話番号」は、第１通信装置２０ａの電話番号を示し、「情報１」は、第１通信装置２０ａに対する識別番号を含む。以下、「第２通信装置用電話番号」と「情報２」は、第２通信装置２０ｂに対応し、「第３通信装置用電話番号」と「情報３」は、第３通信装置２０ｃに対応する。図４（ｂ）−（ｄ）は、分離部３６によって分離された複数のバースト信号におけるデータ構造を示す。図示のごとく、図４（ａ）に示したバースト信号のうち、第１通信装置２０ａから第３通信装置２０ｃに対応した部分が、独立した信号にされている。以下の処理では、図４（ｂ）−（ｄ）に示した信号が、並列に処理される。
【００３７】
図３に戻る。記憶部４０は、識別番号と音声データとの組み合わせを複数記憶する。図５は、記憶部４０に記憶されたデータの構造を示す。データは、図示のごとく、識別番号欄６０と音声データ欄６２によって構成される。識別番号欄６０は、端末装置１４から送信される識別番号の一覧を示し、音声データ欄６２は、識別番号に対応した音声データの一覧を示す。音声データ欄６２のうち、「「Ａ」ですか」などが所定のメッセージに該当する。ここで、音声データとは、音声データに対応した音声のメッセージを発生させるためのビット列であってもよい。また、このようなデータは、ＤＢサーバ１０あるいはＣＴＩ１２にも記憶されており、このようなデータにもとづいて、識別番号が適宜選択される。
【００３８】
選択部３８は、記憶部４０に記憶された複数の組み合わせから、無線部３２において受信した識別番号に対応した音声データを選択する。例えば、識別番号が「１」であれば、選択部３８は、音声データ欄６２から「「Ａ」ですか」を選択する。また、以上の処理は、分離部３６において分離した複数の識別番号に対して、それぞれ選択される。
【００３９】
有線部４４は、選択部３８において選択された音声データをネットワーク１８経由によって、端末装置１４の通信対象となる通信装置２０にそれぞれ送信する。ここで、選択された音声データは複数存在するので、有線部４４は、第１通信端末用電話番号等を参照しながら、選択された複数の音声データを複数の通信装置２０にそれぞれ送信する。
【００４０】
また、有線部４４は、ネットワーク１８経由によって、通信装置２０から、音声データに対する応答データを入力する。応答データとは、ユーザが通信装置２０に備えられたボタンを使用して入力したデータであって、音声データによる要求に対する応答を示すデータに相当する。例えば、音声データによる要求が「ＹＥＳ（Ｙ）」または「ＮＯ（Ｎ）」の入力を指示している場合、応答データは、ボタンによって入力された「１」や「０」であり、前者が「Ｙ」に対応し、後者が「Ｎ」に対応する。ここで、有線部４４は、入力した応答データをバースト信号の形式に変換する。変換したバースト信号の形式は、図４（ｂ）−（ｄ）に示されるとおりであり、「情報１」等に応答データが入力される。なお、ＣＴＩ１２からの返信のために、第１通信端末用電話番号等も付加される。
【００４１】
合成部３４は、分離部３６と逆の手順を実行し、有線部４４からの複数のバースト信号を多重化するために、複数のバースト信号を合成する。合成されたバースト信号は、図４（ａ）に相当する。
【００４２】
送信部５０は、端末装置１４に対して、合成部３４において合成されたバースト信号を送信する。送信部５０は、変調処理、ＤＡ変換処理、ベースバンドから無線周波数への周波数変換処理を実行する。また、前述のごとく、通信システム１００は、ＣＤＭＡを使用しているので、送信部５０は、拡散処理も実行する。なお、送信部５０は、通話用チャネルに対応したバースト信号によって、端末装置１４へ応答データを送信する。
【００４３】
以上のような、基地局装置１６の処理に対応するように、端末装置１４、ＣＴＩ１２、ＤＢサーバ１０も構成されるものとする。すなわち、端末装置１４においても、図４（ａ）に示されたバースト信号を受信し、ＣＴＩ１２は、バースト信号に含まれた複数の応答データをそれぞれ分離してから、複数の応答データを独立に処理し、次に送信すべき識別番号を特定する。さらに、端末装置１４は、特定した識別番号を図４（ａ）に示されたバースト信号によって送信する。また、ＤＢサーバ１０は、識別番号を特定するために、図５に示されたデータを記憶する。
【００４４】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４５】
以上の構成による通信システム１００の動作を説明する。図６は、通信システム１００における音声データの通信手順を示すシーケンス図である。ここで、端末装置１４はＣＴＩ１２と一体化させて、ＣＴＩ１２と示される。また、説明の簡略化のために、通信装置２０として、第１通信装置２０ａだけを説明するが、第２通信装置２０ｂ等が存在する場合、並列に処理が実行される。第１通信装置２０ａは、基地局装置１６に接続要求を送信する（Ｓ１００）。接続要求は、ＣＴＩ１２に対する接続を要求するための信号である。基地局装置１６は、接続要求をＣＴＩ１２に出力する（Ｓ１０２）。ＣＴＩ１２は、要求用の識別番号を基地局装置１６に送信する（Ｓ１０４）。基地局装置１６は、要求の音声データを第１通信装置２０ａに送信する（Ｓ１０６）。第１通信装置２０ａは、要求の音声データに対応する応答データを基地局装置１６に送信する（Ｓ１０８）。基地局装置１６は、応答データをＣＴＩ１２に送信する（Ｓ１１０）。
【００４６】
ＣＴＩ１２は、次の処理手順に進み、要求用の識別番号を基地局装置１６に送信する（Ｓ１１２）。基地局装置１６は、要求の音声データを第１通信装置２０ａに送信する（Ｓ１１４）。第１通信装置２０ａは、要求の音声データに対応する応答データを基地局装置１６に送信する（Ｓ１１６）。基地局装置１６は、応答データをＣＴＩ１２に送信する（Ｓ１１８）。ここでは、ＣＴＩ１２と第１通信装置２０ａの間における要求と応答の組み合わせを２回通信したが、これ以上の回数通信されてもよく、その場合は、以上の手順が繰り返される。
【００４７】
図７は、ＣＴＩ１２における識別番号の出力手順を示すフローチャートである。ここで、処理の手順として、図５に示した「「Ａ」ですか」の要求がなされ、その結果に応じて、「「Ｂ」ですか」の要求、あるいは「「Ｃ」ですか」の要求がなされるものとする。さらに、「「Ｂ」ですか」の要求の結果に応じて、「「Ｄ」して下さい」、あるいは「「Ｅ」して下さい」の要求がなされ、「「Ｃ」ですか」の要求の結果に応じて、「「Ｆ」して下さい」、あるいは「「Ｇ」して下さい」の要求がなされるものとする。ＣＴＩ１２は、端末装置１４を介して、通信装置２０から接続要求を受けつける（Ｓ２０）。ＣＴＩ１２は、識別番号「１」を出力する（Ｓ２２）。
【００４８】
ＣＴＩ１２は、応答データとして「Ｙ」を受けつければ（Ｓ２４のＹ）、識別番号「２」を出力し（Ｓ２６）、応答データとして「Ｙ」を受けつけなければ（Ｓ２４のＮ）、識別番号「３」を出力する（Ｓ３４）。識別番号「２」を出力した場合、ＣＴＩ１２は、応答データとして「Ｙ」を受けつければ（Ｓ２８のＹ）、識別番号「４」を出力し（Ｓ３０）、応答データとして「Ｙ」を受けつけなければ（Ｓ２８のＮ）、識別番号「５」を出力する（Ｓ３２）。一方、識別番号「３」を出力した場合、ＣＴＩ１２は、応答データとして「Ｙ」を受けつければ（Ｓ３６のＹ）、識別番号「６」を出力し（Ｓ３８）、応答データとして「Ｙ」を受けつけなければ（Ｓ３６のＮ）、識別番号「７」を出力する（Ｓ４０）。
【００４９】
図８は、基地局装置１６における音声データの出力手順を示すフローチャートである。受信部５２は、端末装置１４を介して、ＣＴＩ１２から識別番号を受けつける（Ｓ５０）。第１通信装置２０ａに対する識別番号が含まれていれば（Ｓ５２のＹ）、選択部３８は音声データを抽出する（Ｓ５４）。有線部４４は、抽出した音声データを第１通信装置２０ａに送信する（Ｓ５６）。第１通信装置２０ａに対する識別番号が含まれていなければ（Ｓ５２のＮ）、以上の処理を実行しない。
【００５０】
第２通信装置２０ｂに対する識別番号が含まれていれば（Ｓ５８のＹ）、選択部３８は音声データを抽出する（Ｓ６０）。有線部４４は、抽出した音声データを第２通信装置２０ｂに送信する（Ｓ６２）。第２通信装置２０ｂに対する識別番号が含まれていなければ（Ｓ５８のＮ）、以上の処理を実行しない。第３通信装置２０ｃに対する識別番号が含まれていれば（Ｓ６４のＹ）、選択部３８は音声データを抽出する（Ｓ６６）。有線部４４は、抽出した音声データを第３通信装置２０ｃに送信する（Ｓ６８）。第３通信装置２０ｃに対する識別番号が含まれていなければ（Ｓ６４のＮ）、以上の処理を実行しない。
【００５１】
本発明の実施例によれば、端末装置と基地局装置との間の無線区間では、音声データは送信されずに、音声データに対応した識別番号が送信されるだけなので、無線区間において送信されるデータ量を低減できる。また、予め規定された音声データと識別番号の組み合わせを複数記憶し、これを使用するだけなので、処理が簡易になる。また、処理において、誤りの発生を低減できる。また、記憶部が、基地局装置に含まれているので、ネットワーク側にそれらの設備を設けなくてもよい。また、ＦＷＡシステムに適用されるので、端末装置と基地局装置の組み合わせは固定的であり、ひとつのＣＴＩに対する記憶部を少ない数の基地局装置に備えればよいだけになる。また、ひとつのＣＴＩに対する記憶部を多くの数の基地局装置に備える場合と比較して、基地局装置の構成を容易にできる。
【００５２】
また、識別番号の情報量が、識別番号を送信する際に使用されるバースト信号の情報量より小さい場合であっても、識別番号を多重化するので、複数の識別番号をひとつのバースト信号によって伝送できて、伝送効率を高められる。また、バースト信号が独占的に使用される通話用チャネルに対応していても、ひとつのバースト信号を複数の通信装置によって使用するので、伝送効率を高められる。また、識別番号のために使用される通話用チャネルの数の増加を抑制できるので、その他の通話に割り当てるべき通話用チャネルの低減が避けられる。また、ＣＴＩにおけるトラヒックの増加にも対応できる。
【００５３】
（実施例２）
本発明の実施例２は、実施例１と同様に、端末装置と基地局装置によって構成されるＦＷＡシステムに関し、端末装置にはＣＴＩが接続されている。実施例１においては、基地局装置１６が、複数の応答データをひとつのバースト信号に多重化し、あるいはひとつのバースト信号に含まれた複数の識別番号を分離していたが、実施例２に係る基地局装置は、そのような処理を実行しない。その代わりに、端末装置が複数使用され、かつ応答データや識別番号を送信するために、データ用チャネルを使用する。データ用チャネルは、前述のごとく、複数の端末装置によって共有されるチャネルであるので、端末装置が複数使用されていても、伝送効率を向上できる。
【００５４】
図９は、実施例２に係る通信システム１００の構成を示す。図９の通信システム１００は、図１の通信システム１００と比較して、端末装置１４と総称される第１端末装置１４ａ、第２端末装置１４ｂ、第３端末装置１４ｃを含む。ここで、基地局装置１６は、合成部３４、分離部３６を含んでいない。基地局装置１６と複数の端末装置１４の間には、複数のデータ用チャネルが設定され、データ用チャネルに対応したバースト信号によって、識別番号や応答データが伝送される。このようなデータ用チャネルに対応したバースト信号は、少なくともバースト信号の送信元と送信先に関する情報を含み、端末装置１４や基地局装置１６は、自らに対応したアドレス等を送信元に設定してからバースト信号を送信し、あるいは自らに対応したアドレス等が送信先に設定されたバースト信号を受信する。その他のＣＴＩ１２、基地局装置１６、通信装置２０の処理は、実施例１と同様であるので、説明を省略する。
【００５５】
本発明の実施例によれば、端末装置として複数の端末装置を使用するだけなので、端末装置およびＣＴＩの構成が、複数の識別番号を多重化する場合と比較して、簡易になる。また、識別番号を伝送するために、複数の端末装置によって共有されるデータ用チャネルが使用されるので、伝送効率を向上できる。
【００５６】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００５７】
本発明の実施例１と２において、記憶部４０は、選択部３８から出力される音声データをそのまま記憶している。しかしながらこれに限らず例えば、記憶部４０は、選択部３８から出力される音声データの一部を記憶しており、選択部３８は、音声データの一部を選択し、これに、予め定められた音声データを合成してもよい。例えば、記憶部４０は、音声データ「「Ａ」ですか」のうち、「Ａ」だけを記憶する。選択部３８は、「ですか」の音声データを予め有しており、「Ａ」と「ですか」を音声合成する。予め定められた音声データに該当しない定型以外の部分を記憶すればよいので、記憶部４０において記憶するデータの情報量を低減できる。また、予め定められた音声データの部分は、複数のメッセージに対して使用できるので、全体での記憶すべき情報量も低減できる。
【００５８】
本発明の実施例１と実施例２とを組み合わせた態様も、変形例として有効である。本変形例によれば、ひとつのバースト信号に複数の識別情報を多重化しつつ、バースト信号をデータ用チャネルによって伝送できる。
【図面の簡単な説明】
【００５９】
【図１】実施例１に係る通信システムの構成を示す図である。
【図２】図１の通信システムでのチャネルの遷移を示す図である。
【図３】図１の基地局装置の構成を示す図である。
【図４】図４（ａ）−（ｄ）は、図１の通信システムにおけるデータの構造を示す図である。
【図５】図３の記憶部に記憶されたデータの構造を示す図である。
【図６】図１の通信システムにおける音声データの通信手順を示すシーケンス図である。
【図７】図１のＣＴＩにおける識別番号の出力手順を示すフローチャートである。
【図８】図３の基地局装置における音声データの出力手順を示すフローチャートである。
【図９】実施例２に係る通信システムの構成を示す図である。
【符号の説明】
【００６０】
１０  ＤＢサーバ、  １２  ＣＴＩ、  １４  端末装置、  １６  基地局装置、  １８  ネットワーク、  ２０  通信装置、  ３０  アンテナ、  ３２  無線部、  ３４  合成部、  ３６  分離部、  ３８  選択部、  ４０  記憶部、  ４２  再生部、  ４４  有線部、  ４６  制御部、  ４８  スイッチ、  ５０  送信部、  ５２  受信部、  １００  通信システム。
【図１】
2006115025.tif 000003
【図２】
2006115025.tif 000004
【図３】
2006115025.tif 000005
【図４】
2006115025.tif 000006
【図５】
2006115025.tif 000007
【図６】
2006115025.tif 000008
【図７】
2006115025.tif 000009
【図８】
2006115025.tif 000010
【図９】
2006115025.tif 000011